(57)【要約】【課題】コストアップを抑えつつワイヤレス信号を確実に受信でき、且つ、外観上の見栄えの低下を抑えた誘導灯を提供する。【解決手段】誘導灯Ａは、端面から入射した光源からの光を前方に照射させる導光板５と、導光板５の前方に配置され、導光板５からの光を透過させることで所定の表示を行う表示板４と、導光板５の後方に配置され、導光板５の内部を通過する光のうち後方に向かう光を前方に反射させる反射板６と、反射板６の後方に配置され、リモコン送信器２７から送信されたワイヤレス信号Ｓｉを受信するリモコン受光ブロック２３と、受信したワイヤレス信号Ｓｉに基づいて光源の点灯状態を制御する点灯制御ブロック１２とを備えており、反射板６においてリモコン受光ブロック２３の光軸ｃの前方には受光孔６ａが貫設されている。【選択図】図１
2010027245.tif 000002
【特許請求の範囲】
【請求項１】
端面から入射した光源からの光を前方に照射させる導光板と、導光板の前方に配置され、該導光板からの光を透過させることで所定の表示を行う表示板と、導光板の後方に配置され、該導光板の内部を通過する光のうち後方に向かう光を前方に反射させる反射板と、反射板の後方に配置され、リモコン送信器から送信されたワイヤレス信号を受信するリモコン信号受信部と、受信したワイヤレス信号に基づいて光源の点灯状態を制御する点灯制御部とを備え、前記反射板において前記リモコン信号受信部の光軸の前方に孔を設けたことを特徴とする誘導灯。
【発明の詳細な説明】
【技術分野】
【０００１】
本発明は、誘導灯に関するものである。
【背景技術】
【０００２】
従来より、リモコン送信器から送信されたワイヤレス信号に基づいて光源や蓄電池などの点検が行える誘導灯が種々提供されているが、その多くはワイヤレス信号を受信するための信号受信部を表示板よりも外側に配置される枠などの外郭部品に配置している。この場合、信号受信部を配置するために外郭部品の外形寸法を大きくしたり、信号受信部を前方に露出させるための孔を外郭部品に設けることになるが、外郭部品を必要以上に大きくすることでコストアップになったり、上記孔から塵埃などが侵入することで外観上の見栄えを損なうという問題があった。
【０００３】
そこで、上記の問題点を解決するために、信号受信部を枠の内側に配置したものが提案されている（例えば特許文献１参照）。この誘導灯は、表示板の材料として光透過率の高いものを用いるとともに、信号受信部を表示板に近接して配置することで、表示板を透過したワイヤレス信号を信号受信部で受信できるようになっている。
【特許文献１】特開２００７−２５０２６７号公報（段落［００１９］−段落［００４０］、及び、第１図−第４図）
【発明の開示】
【発明が解決しようとする課題】
【０００４】
上述の特許文献１に示した誘導灯は、信号受信部を外郭部品に設けた場合に比べて、コストアップを抑えつつ外観上の見栄えの低下を抑えることができるものではあるが、内部に配置される光源からの光により信号受信部が誤動作しないように、信号受信部を光源からある程度離す必要があり、そのため灯具全体が大型化することになり、結局コストアップになるものであった。
【０００５】
本発明は上記問題点に鑑みて為されたものであり、その目的とするところは、コストアップを抑えつつワイヤレス信号を確実に受信でき、且つ、外観上の見栄えの低下を抑えた誘導灯を提供することにある。
【課題を解決するための手段】
【０００６】
請求項１の発明は、端面から入射した光源からの光を前方に照射させる導光板と、導光板の前方に配置され、該導光板からの光を透過させることで所定の表示を行う表示板と、導光板の後方に配置され、該導光板の内部を通過する光のうち後方に向かう光を前方に反射させる反射板と、反射板の後方に配置され、リモコン送信器から送信されたワイヤレス信号を受信するリモコン信号受信部と、受信したワイヤレス信号に基づいて光源の点灯状態を制御する点灯制御部とを備え、反射板においてリモコン信号受信部の光軸の前方に孔を設けたことを特徴とする。
【発明の効果】
【０００７】
請求項１の発明によれば、表示板および導光板を透過したワイヤレス信号を反射板に設けた孔を通して受信できるから、ワイヤレス信号を確実に受信できる誘導灯を実現することができる。また、リモコン信号受信部は上記の孔を通過した光しか受信しないから、光源からの光による誤動作が起こりにくく、リモコン信号受信部を反射板に近接して配置することができ、その結果特許文献１に示した誘導灯に比べて灯具全体の外形寸法を小さくすることができるから、コストアップを抑えることができる。さらに、リモコン信号受信部を内部に配置しているので、塵埃などの侵入を防止することができ、外観上の見栄えの低下を抑えることができるという効果がある。
【発明を実施するための最良の形態】
【０００８】
以下に本発明に係る誘導灯の実施形態を図１〜図４に基づいて説明する。本発明に係る誘導灯は、例えば床面などの造営面に埋込配設され、避難誘導用の標識として用いられる。なお、以下の説明では特に断りがない限り、図３（ａ）中の矢印ａ−ｂの方向を上下方向、矢印ｃ−ｄの方向を前後方向、矢印ｅ−ｆの方向を左右方向として説明する。
【０００９】
本実施形態の誘導灯Ａは、図２に示すように枠体１と、パッキン２と、保護カバー３と、表示板４と、導光板５と、反射板６と、ベース７と、灯具本体８とで構成され、例えば床面に埋込配設された矩形箱状の埋込ボックス９内に収納される。
【００１０】
枠体１は、例えばステンレス製であって、中央部に矩形状の開口部１ａを有する横長の矩形枠状に形成され、枠体１の外周部分には固定ねじ１０が挿通されるねじ挿通孔１ｂが所定の位置に複数（本実施形態では６個）貫設されている。ここにおいて、開口部１ａの開口寸法は、後述する保護カバー３を構成する上部カバー３ａの外形寸法と略同寸法に設定されており、組立状態では上部カバー３ａの上面が開口部１ａを通して上方に露出するようになっている（図１参照）。
【００１１】
パッキン２は、例えば合成樹脂成形品であって、枠体１と略同じ外形寸法の矩形枠状に形成されており、中央部には上記の開口部１ａと略同寸法に開口する開口部２ａが設けられている。また、上記の各ねじ挿通孔１ｂに対応する部位には、同様に固定ねじ１０が挿通されるねじ挿通孔２ｂがそれぞれ貫設されている。
【００１２】
保護カバー３は、例えば透明な強化ガラスからなり、略矩形板状の上部カバー３ａおよび下部カバー３ｂで二重構造に形成されている。上部カバー３ａは後述する導光板５と略同じ外形寸法に形成され、下部カバー３ｂは上部カバー３ａよりも長寸且つ幅広に形成されており、導光板５よりも外側に張り出す張出部３ｃが全周に渡って一体に形成されている。
【００１３】
表示板４は、例えば合成樹脂成形品であって、横長の略矩形板状に形成され、表示板４の上面には左右方向を差し示す矢印や人物を模したピクトグラムで構成された表示パターンＰが印刷形成されている。なお、本実施形態では、表示板４の外形寸法を上記の枠体１の開口部１ａの開口寸法と略同寸法に設定しており、表示板４の上面全体が上方から視認できるようになっている。
【００１４】
導光板５は、例えば透明なアクリル樹脂成形品であって、上記の表示板４の外形寸法と略同寸法に設定されており、組立状態において表示板４の下方に配置される。この導光板５の左右両端面には、組立状態において光源ブロック１１、１１がそれぞれ対向して配置されるようになっており、各光源ブロック１１から照射された光はそれぞれ導光板５の上記端面から入射し、導光板５の内部を透過して上方（すなわち表示板４側）に照射される。
【００１５】
反射板６は、横長の略矩形板状であって、前後方向両端部が上方に折り曲げられており、下方から導光板５を保持するような形で配置される。また、反射板６の主面には、受光孔６ａ、６ａ（孔）が点対称な位置にそれぞれ貫設されている。なお、受光孔６ａの一方は、組立状態において後述するリモコン受光ブロック２３の受光素子１９に対向するように配置され、リモコン送信器２７（図１参照）から送信されるワイヤレス信号Ｓｉ（例えば、赤外線など）を受信できるようになっている。ここにおいて、上記の受光孔６ａ、６ａは点対称な位置に設けられているので、反射板６の左右が入れ替わった状態で取り付けられたとしても、何れかの受光孔６ａが受光素子１９に対向するから、ワイヤレス信号Ｓｉを確実に受信できるとともに反射板６の取付ミスを防止することができる。なお、上記の受光孔６ａの開口径は、受光素子１９の受光部分の直径と略同じ寸法に設定するのが好ましい。
【００１６】
ベース７は、後述の電装品を収納するためのケースであって、上方が開口した横長矩形箱状のベース本体７ａの内部には、電源端子台２２や、停電時における電源供給用の蓄電池２４や、点灯制御ブロック１２が収納されている。点灯制御ブロック１２は、点灯回路（図示せず）、光源ブロック１１を構成する冷陰極蛍光ランプ２１および蓄電池２４の状況（例えば蓄電池２４の充電状態など）をチェックする自己点検機能を有し、上記の点灯回路を制御する制御回路が内蔵されている。また、ベース本体７ａの左右方向両端部には、光源ブロック１１、１１が互いに対向する形に配置され、上述したように組立状態では、各光源ブロック１１が導光板５の左右両端面にそれぞれ対向する形に配置される。さらに、ベース本体７ａの内部には、取付金具２０に取り付けられたスイッチブロック１３およびリモコン受光ブロック２３も収納されている。
【００１７】
取付金具２０は、図１に示すようにそれぞれ略Ｌ字状に形成された取付片２０ｂ、２０ｃが連結片２０ａを介して一体に折曲形成されており、さらに一方の取付片２０ｃは連結片２０ａに対して斜め上方に傾斜するように折り曲げられている。また、取付片２０ｂにおいて上記の受光素子１９に対応する部位には受光孔２０ｅが貫設され、取付片２０ｃにおいてスイッチブロック１３に対応する部位には該スイッチブロック１３を構成するモニターランプ１５、１６、点検スイッチ１７および自己点検スイッチ１８を露出させる切欠部２０ｆが設けられている（図３（ｂ）参照）。さらに、取付片２０ｃの先端部にはモニターランプ１５、１６からの光を反射させるための反射片２０ｄが一体に設けられており、モニターランプ１５、１６から照射される光の一部がこの反射片２０ｄにより上方に反射されるようになっている。ここにおいて、スイッチブロック１３は図１に示すように固定ねじを用いて取付片２０ｃに取着され、リモコン受光ブロック２３は固定ねじを用いて取付片２０ｂに取着される。
【００１８】
光源ブロック１１は、図２に示すように略コ字型に形成されたランプ保持金具２５と、直管型の冷陰極蛍光ランプ２１とで構成されており、各冷陰極蛍光ランプ２１は、電線２６を介して点灯制御ブロック１２の出力端にそれぞれ接続されている（図４参照）。
【００１９】
灯具本体８は、図２に示すように上面が開口する横長の略矩形箱状であって、灯具本体８の開口端縁には外側に延出する鍔部８ａが全周に渡って設けられている。また、鍔部８ａには、枠体１のねじ挿通孔１ｂおよびパッキン２のねじ挿通孔２ｂに対応する部位に、固定ねじ１０が螺合するねじ孔８ｂがそれぞれ設けられている。
【００２０】
次に、本実施形態の誘導灯Ａの回路構成について説明する。図４は本実施形態の誘導灯Ａの概略ブロック図を示し、点灯制御ブロック１２には電源端子台２２、蓄電池２４、リモコン受光ブロック２３、スイッチブロック１３および冷陰極蛍光ランプ２１がそれぞれ接続されている。ここに、点灯制御ブロック１２は、通常時には電源端子台２２から供給される商用電源ＡＣから動作電源を生成するとともに、点灯回路（図示せず）に電源供給しつつ蓄電池２４を充電し、停電時には蓄電池２４からの放電電力から動作電源を生成するとともに、点灯回路に電源供給を行っている。そして、点灯回路から各冷陰極蛍光ランプ２１にそれぞれ点灯電力が供給されると、各冷陰極蛍光ランプ２１がそれぞれ点灯するようになっている。なお、電源端子台２２には常用消灯スイッチ２２ａが設けられており、点検者などがこの常用消灯スイッチ２２ａを押すと、点灯制御ブロック１２により点灯回路への商用電源ＡＣの供給が遮断され、その結果両光源ブロック１１、１１の冷陰極蛍光ランプ２１、２１が消灯状態となる。
【００２１】
スイッチブロック１３は、モニターランプ１５、１６、点検スイッチ１７および自己点検スイッチ１８で構成され、モニターランプ１５は、例えば赤色のＬＥＤからなり、冷陰極蛍光ランプ２１の状態に応じて点灯、消灯または点滅する。例えば、冷陰極蛍光ランプ２１が正常な場合にはモニターランプ１５は消灯し、ランプ外れやランプ割れなどの異常時には点灯し、さらにランプ交換時期が経過した場合には点滅するようになっている。一方、モニターランプ１６は、例えば緑色のＬＥＤからなり、蓄電池２４の状態に応じて点灯、消灯または点滅する。例えば、蓄電池２４が正常な場合にはモニターランプ１６は点灯し、電池外れの場合には消灯し、さらに電池交換時期が経過した場合には点滅するようになっている。
【００２２】
点検スイッチ１７は、例えばモメンタリ型の押ボタンスイッチであって、本スイッチを押している間だけ非常点灯するようになっている。すなわち、点検スイッチ１７を押している間は、点灯制御ブロック１２により点灯回路への商用電源ＡＣの供給が停止されるとともに、蓄電池２４からの放電電力をもとに冷陰極蛍光ランプ２１を点灯させる。さらに、自己点検スイッチ１８は、例えばモメンタリ型の押ボタンスイッチであって、点灯制御ブロック１２は自己点検スイッチ１８が押されると、商用電源ＡＣの供給を遮断するとともに蓄電池２４により冷陰極蛍光ランプ２１を定格時間非常点灯させ、定格時間経過後は自動的に常用点灯（すなわち商用電源ＡＣによる点灯状態）に切り替える（以下、自己点検という。）。なおこのとき、点灯制御ブロック１２は、冷陰極蛍光ランプ２１および蓄電池２４の状態も合わせて点検し、上述したモニターランプ１５、１６により点検結果を表示させる。
【００２３】
リモコン受光ブロック２３は、リモコン送信器２７（図１参照）から送信されたワイヤレス信号Ｓｉを受信するための受光素子１９を備えており、受光素子１９がワイヤレス信号Ｓｉを受信すると、受信したワイヤレス信号Ｓｉに対応する制御信号が点灯制御ブロック１２に入力される。そして、点灯制御ブロック１２では入力された制御信号に応じて各種の制御動作が実行される。例えば、リモコン送信器２７に設けられた点検スイッチ２８が押されると、リモコン送信器２７からは点検スイッチ２８に対応するワイヤレス信号Ｓｉ（本実施形態では自己点検機能に対応する信号）が送信され、受光素子１９がこのワイヤレス信号Ｓｉを受信すると、点灯制御ブロック１２は上述した自己点検を実行することになる。なお、本実施形態の誘導灯Ａでは、リモコン受光ブロック２３を反射板６の下方に配置しているため、反射板６において受光素子１９に対応する部位に受光孔６ａを設けているが、組立状態では受光孔６ａ、取付金具２０に設けた受光孔２０ｅおよび受光素子１９の各中心軸が略一致するように、反射板６、取付金具２０およびリモコン受光ブロック２３がそれぞれ配置されることになる。ここに、本実施形態では、リモコン受光ブロック２３によりリモコン信号受信部が構成され、点灯制御ブロック１２により点灯制御部が構成されている。
【００２４】
次に、誘導灯Ａの組立手順について説明する。なお、以下の説明では、光源ブロック１１、点灯制御ブロック１２、電源端子台２２、蓄電池２４、スイッチブロック１３およびリモコン受光ブロック２３を予めベース７内に収納し、さらに各電装品間を図示しない電線により予め接続しているものとして説明する。まず、床面に埋込配設された埋込ボックス９内に灯具本体８を収納し、電線孔９ａを通して埋込ボックス９内に導入した電源線１４を、電線孔（図示せず）を通して灯具本体８内に導入する。次に、ベース７を灯具本体８内に収納した後、電源線１４を電源端子台２２の入力端に接続する。さらにその後、ベース７の上方に反射板６、導光板５、表示板４、保護カバー３の順番に積層配置する。なおこのとき、反射板６は、一方の受光孔６ａがリモコン受光ブロック２３の受光素子１９の光軸ｃの前方に位置するように配置される。そして最後に、上方からパッキン２、枠体１の順番に配置し、ねじ挿通孔１ｂ、２ｂに挿通した各固定ねじ１０をそれぞれ対応するねじ孔８ｂに螺合させると、誘導灯Ａの組み立てが完了する（図３（ａ）参照）。
【００２５】
さらに、誘導灯Ａの動作について図１に基づいて説明する。リモコン送信器２７の点検スイッチ２８を押してワイヤレス信号Ｓｉを送信すると、ワイヤレス信号Ｓｉは保護カバー３、表示板４、導光板５を透過し、反射板６の受光孔６ａを通って受光素子１９に到達する。受光素子１９が上記のワイヤレス信号Ｓｉを受信すると、受信したワイヤレス信号Ｓｉに対応する制御信号（本実施形態では自己点検機能に対応する信号）が点灯制御ブロック１２に入力され、点灯制御ブロック１２では上述した自己点検を行なった後、冷陰極蛍光ランプ２１および蓄電池２４の状態をモニターランプ１５、１６（図１ではモニターランプ１６のみ図示）により表示させる。このとき、モニターランプ１５、１６からの直射光は、保護カバー３を構成する下部カバー３ｂの張出部３ｃを透過して枠体１の開口部１ａから斜め上方（図１中の矢印ａの向き）に照射されることになる。また、モニターランプ１５、１６から照射される光の一部は上記の反射片２０ｄで反射され、保護カバー３の内部を通過して枠体１の開口部１ａから斜め上方（図１中の矢印ｂの向き）に照射される。そして、点検者がモニターランプ１５、１６からの直射光または反射光を確認することで、冷陰極蛍光ランプ２１および蓄電池２４の状態を把握することができる。
【００２６】
而して、本実施形態の誘導灯Ａによれば、表示板４および導光板５を透過したワイヤレス信号Ｓｉを反射板６に設けた受光孔６ａを通して受信できるから、ワイヤレス信号Ｓｉを確実に受信できる誘導灯Ａを実現することができる。また、リモコン受光ブロック２３の受光素子１９は受光孔６ａを通過した光しか受光しないから、光源ブロック１１からの光による誤動作が起こりにくく、リモコン受光ブロック２３を反射板６に近接して配置することができ、その結果特許文献１に示した誘導灯に比べて灯具全体の外形寸法を小さくすることができるから、コストアップを抑えることができる。さらに、リモコン受光ブロック２３を内部に配置しているので、塵埃などの侵入を防止することができ、外観上の見栄えの低下を抑えることができる。
【００２７】
なお、本実施形態では、受光孔６ａの形状を円形とした場合を例に説明したが、受光孔の形状は多角形であってもよく、この場合受光素子１９の受光部分の直径と受光孔の対角線が略等しくなるように寸法設定すればよい。
【図面の簡単な説明】
【００２８】
【図１】本実施形態の誘導灯の一部省略せる断面図である。
【図２】同上の分解斜視図である。
【図３】同上を示し、（ａ）は斜視図、（ｂ）は要部詳細図である。
【図４】同上の概略ブロック図である。
【符号の説明】
【００２９】
４  表示板
５  導光板
６  反射板
６ａ  受光孔（孔）
１１  光源ブロック（光源）
１２  点灯制御ブロック（点灯制御部）
２３  リモコン受光ブロック（リモコン信号受信部）
２７  リモコン送信器
Ａ  誘導灯
Ｓｉ  ワイヤレス信号
【図１】
2010027245.tif 000003
【図２】
2010027245.tif 000004
【図３】
2010027245.tif 000005
【図４】
2010027245.tif 000006